(57)【要約】【課題】貯湯タンクの残湯量が一定基準を下回った場合に、表示方法を変更して節約や省エネの促進をより一層加速化し、また緊急にお湯を沸かす対応を利用者に知らせること。【解決手段】表示装置１は残湯量受信手段２１で受信した残湯量と、利用者が残湯量基準値入力手段２３から入力された基準残湯量とを残湯量比較手段２４を用いて比較する。残湯量比較手段２４は、その結果を表示方法変更手段２５へ出力する。表示方法変更手段２５は、残湯量比較手段２４が残湯量受信手段２１で受信した残湯量と、利用者が残湯量基準値入力手段２３から入力された基準残湯量を比較した結果、残湯量受信手段２１が受信した残湯量の方が残湯量基準値入力手段２３から入力された基準残湯量未満の場合（もしくは以下の場合）、残湯量表示手段２２が表示している残湯量受信手段２１で受信した残湯量の表示方法を変更する。【選択図】図２
2006308270.tif 000002
【特許請求の範囲】
【請求項１】
給湯機との間で通信を行い必要な操作及び表示を行う表示装置であって、前記表示装置は、前記給湯機が有する貯湯タンクの残湯量を受信する残湯量受信手段と、前記残湯量受信手段が受信した残湯量を表示する残湯量表示手段と、少なくとも１つ以上の残湯量基準値が入力可能な残湯量基準値入力手段と、前記残湯量受信手段が受信した残湯量情報と前記残湯量基準値入力手段から入力された残湯量基準値とを比較する残湯量比較手段と、前記残湯量比較手段が比較した結果前記残湯量情報が前記残湯量基準値よりも小さい場合、前記残湯量表示手段が表示する残湯量の表示方法を変更する表示方法変更手段とで構成される表示装置。
【請求項２】
給湯機との間で通信を行い必要な操作及び表示を行う表示装置であって、前記表示装置は、前記給湯機が有する貯湯タンクの残湯量を受信する残湯量受信手段と、前記残湯量受信手段が受信した残湯量を表示する残湯量表示手段と、予め定められた期間中の残湯量情報を記憶学習する記憶学習手段と、前記記憶学習手段が記憶学習した結果から当該利用家庭における少なくとも１つ以上の残湯量基準値を算出する残湯量基準値算出手段と、前記受信手段が受信した残湯量情報と前記残湯量基準値算出手段が算出した残湯量基準値とを比較する残湯量比較手段と、前記残湯量比較手段が比較した結果、前記残湯量情報が前記残湯量基準値よりも小さい場合、前記残湯量表示手段が表示する残湯量情報の表示方法を変更する表示方法変更手段とで構成された表示装置。
【請求項３】
給湯機との間で通信を行い必要な操作及び表示を行うと共に、サーバとの間で通信を行い必要な情報を送受信する表示装置であって、前記表示装置は、前記給湯機が有する貯湯タンクの残湯量を受信する残湯量受信手段と、前記残湯量受信手段が受信した残湯量を表示する残湯量表示手段と、前記サーバから少なくとも１つ以上の残湯量基準値を受信する残湯量基準値受信手段と、前記残湯量受信手段が受信した残湯量情報と前記残湯量基準値受信手段が受信した残湯量基準値を比較する残湯量比較手段と、前記残湯量比較手段が比較した結果前記残湯量情報が前記残湯量基準値よりも小さい場合、前記残湯量表示手段が表示する残湯量情報の表示方法を変更する表示方法変更手段とで構成された表示装置。
【請求項４】
前記残湯量表示手段は、前記残湯量情報を予め定められた一定時間毎に切り替えて表示させる請求項１〜３のいずれか１項記載の表示装置。
【請求項５】
前記表示方法変更手段は、前記残湯量表示手段が表示している残湯量情報の前記一定時間を変更させるまたは／及び前記一定時間毎に表示させる内容を変更させる請求項４記載の表示装置。
【請求項６】
前記表示装置は、少なくとも１つ以上の残湯量基準値を持つ残湯量基準値記憶手段を有し、前記残湯量基準値入力手段は前記残湯量基準値記憶手段が記憶している残湯量基準値の中から少なくとも１つ以上の残湯量基準値を選択させる構成とした請求項１〜３のいずれか１項記載の表示装置。
【請求項７】
給湯機との間で通信を行い必要な操作及び表示を行う表示装置であって、前記表示装置は、前記給湯機の機種情報を受信する機種情報受信手段と、前記機種情報受信手段で受信した機種情報を記憶する機種情報記憶手段と、前記給湯機が有する貯湯タンクの残湯量を受信する残湯量受信手段と、前記残湯量受信手段が受信した残湯量を表示する残湯量表示手段と、前記機種情報記憶手段に記憶されている機種情報に応じて前記残湯量基準値を変更する残湯量基準値変更手段と、前記残湯量受信手段が受信した残湯量情報と前記残湯量基準値変更手段により変更された少なくとも１つ以上の残湯量基準値とを比較する残湯量比較手段と、前記残湯量比較手段が比較した結果に応じて前記残湯量表示手段が表示する残
湯量の表示方法を変更する表示方法変更手段とで構成される表示装置。
【請求項８】
前記機種情報は、給湯機、サーバ、表示装置の入力手段、設定器のうち少なくとも１つから受信もしくは入力可能な構成とした請求項７記載の表示装置。
【請求項９】
請求項１〜８のいずれか１項記載の表示装置の少なくとも一部をコンピュータに実行させるためのプログラム。
【発明の詳細な説明】
【技術分野】
【０００１】
本発明は、家庭内において給湯機を中心として構成される給湯、風呂、温水器機能を実現するシステムにおいて、状態を表示する表示装置、及びプログラムに関するものである。
【背景技術】
【０００２】
従来、この種のシステムについては、以下のものが一般的であった（特許文献１参照）。これは、給湯機を例に挙げた説明であるが、ガスを使用する機器、ガスを燃焼させる機器、お湯を供給する機器であればこれに限るものではない。
【０００３】
図１１は従来例であるガス機器（給湯機）の使い方比較システムの概念図である。図１１において、ある家庭に給湯機１０１がある。給湯機１０１は通信回線１０２を通じてセンター装置１０３と接続され、各家庭の給湯機１０１とセンター装置１０３とで通信を行う。
【０００４】
通信内容として給湯機１０１からセンター装置１０３への通報には、給湯機の使用状況データなど使い方を調査するのに有用な情報や給湯機の機種番号や製造番号など給湯機を特定するのに有用な情報などが含まれる。
【０００５】
またセンター装置１０３から給湯機１０１には上述の通報の回答として、給湯機の使用状況データを比較して得られる使い方の評価結果や寿命予測、故障したときの故障内容や修理見積もりなどが含まれる。これらは給湯機１０１に備わる表示手段１０４によって使用者に知らせる。表示手段１０４はたとえば給湯機リモコンの液晶ディスプレイであり、給湯機１０１とは信号線１０６で接続される。
【０００６】
次に図１１記載の給湯機１０１とセンター装置１０３の構成ブロック図を図１２に示す。給湯機１０１には、ガス機器のガス使用量を計測するガス使用量計測手段１１１、給湯温度を設定する給湯温度設定手段１１２、給湯量を計測する給湯量計測手段１１３、ガス機器の運転時間または燃焼時間を計測する運転時間計測手段１１４、ガス使用量計測手段１１１と給湯温度設定手段１１２と給湯量計測手段１１３と運転時間計測手段１１４との出力をまとめて使用状況データとして記録する使用状況記録手段１１５、通信回線に接続して使用状況データをセンター装置１０３に送信する送信手段１１６、給湯機１０１の運転動作を制御する機器制御手段１１７とを備える。
【０００７】
これらによって給湯機１０１のガス使用量や給湯温度、給湯量と運転時間の使用状況データを記録してセンター装置１０３に送信する。
【０００８】
送信する頻度は時計手段１１８によって１日１回など定期的に送信し、加えてガス使用量が所定範囲を超えたときや１日の運転時間が２０時間を超えるなどの通常使用時とは異なる時にも送信する。このような送信要求は使用状況記録手段１１５が発する。
【０００９】
一方、センター装置１０３には、通信回線に接続して複数のガス機器から使用状況データを受信する受信手段１３０と、使用状況データを集計し統計処理して比較する統計処理手段１３１と、その統計処理結果を出力する出力手段１３２とを備える。また給湯機１０１から通報された機種番号を記憶し、統計処理の際に必要であればガス機器のデータを統計処理手段１３１に出力するデータベース手段１３３を備える。
【００１０】
以上によって複数の給湯機のガス使用量や給湯温度、給湯量、運転時間の使用状況データをセンター装置で収集し統計処理を行うので複数の給湯機の使用状況データの平均値や中央値、標準偏差などの統計値が得られる。これを基にしてある家庭の給湯機の使用状況データと比較すれば、その給湯機のガス使用量は平均値に比較して多いのか少ないのか、多いとすれば給湯温度が高すぎないか、給湯量が多すぎないか、運転時間が長すぎないかを調査することができる。
【００１１】
また、センター装置１０３のデータベース手段１３３は各家庭のガス機器の機器情報や各家庭の使用者情報を持つ。機器情報には製造者、機種番号、製造番号などガス機器の特徴を示す情報が含まれ、使用者情報には家族人数、年齢など家族構成や住宅様式や居住地区など家族の特徴を示す情報が含まれる。
【００１２】
各家庭のガス機器には通信のための識別符号（ＩＤ）が割り当てられており、給湯機１０１とセンター装置１０３とで通信する時にはこのＩＤを用いて通信相手を認識する。そして、このＩＤはデータベース手段１３３に登録され、統計処理手段１３１はＩＤを用いて統計処理を行う、その家庭の機器情報、使用者情報を検索する。
【００１３】
以上によって、統計処理手段１３１は機器情報や使用者情報を用いて同じ条件である複数の給湯機に関して使用状況データを統計処理して比較することで、使い方比較の精度を高くすることができる。
【００１４】
なお、製造番号などの機器情報は出荷時に各給湯機に記憶させ、各家庭に設置後、通信回線によってセンター装置１０３に送信してデータベース手段１３３に登録する。また家族構成などの使用者情報、住宅様式や居住地域など使用環境は電話やはがきで使用者から聞き出してセンター装置１０３の管理者がデータベース手段１３３に登録する。
【００１５】
以上のようにデータベース手段１３３によってセンター装置１０３は集計した複数家庭の給湯機の使用状況データの中で機種番号、家族構成や使用環境などが同じ条件である複数の家庭を比較して使い方を評価するので、使い方比較の精度をさらに高めることができる。
【特許文献１】特開平１１−３３７３８４号公報
【発明の開示】
【発明が解決しようとする課題】
【００１６】
しかしながら、上記背景技術の構成では、利用者に手軽に省エネを促すことはできない。確かに、上記背景技術の構成では、ガス使用状況を事細かに解析し、利用者にガス使用量を減らす為のアドバイスを実行することができるが、それは、利用者自らが省エネ意識を高く持っていることが前提で、各種アドバイスを行うものである。
【００１７】
省エネの推進においては、官民一体となって協力に推し進めることも必要であるが、手軽に、またさりげなく、さらにはちょっとした工夫で利用者に知らせる方法も重要であり、あまり畏まったシステムでは利用者への押し付けとなる面もあり、場合によっては推進の妨げとなる。このちょっとした工夫や気軽さにおいては、例えば利用者が自ら手軽に閾値を設定してそれを超えた場合に注意を促す等の自由度が必要であるが、背景技術にはそのような視点がない。
【００１８】
一方、上記背景技術においては、ガス給湯機を例に書かれている。もちろん、お湯を供給する機器であればこれに限るものではないが、例えば、ヒートポンプ給湯機においては別の要素も加わってくる。すなわち、ヒートポンプ給湯機は貯湯タンクを有しており、この貯湯タンクに貯まっている水を電気を利用して沸かし、給湯や風呂に利用するシステム
である。この貯湯タンク内の沸き上げには、主に料金が安い深夜電力を利用することで、利用者は電気代を必要最小限に抑えることができる。
【００１９】
ここで、利用者は、通常は１日に使うであろうお湯の量を貯湯タンクにて沸き上げるが、例えば、浴槽のお湯を大量にあふれさせるような入浴方法をしたり、家族が別々の時間帯に風呂に入ったり、食器をお湯で洗うのに贅沢なお湯の使い方をしたりすると、必要以上に貯湯タンクのお湯を使ってしまい、いざ緊急に入浴したい場合に貯湯タンクのお湯が足りなくなったりする。
【００２０】
このような事態になった場合、利用者は即座に貯湯タンクの沸き上げを手動または自動で行う必要があるが、このような事態をいち早く利用者に知らせないと、お湯を使いたいのにお湯がないという事態が発生して不便となるが、上記背景技術にはそのような観点がないという課題があった。
【００２１】
さらに、このような課題に対応する為、例えばヒートポンプ給湯機のリモコン等を用いてヒートポンプ給湯機の貯湯タンクのお湯の量を表示させようとした場合においても、ヒートポンプ給湯機の機種によって貯湯タンクお湯の量の表現の方法が異なる場合も考えられ、機種による違いを吸収した形での表所方法の検討が必要になるが、上記背景技術にはそのような観点がないという課題があった。
【課題を解決するための手段】
【００２２】
本発明は上記課題を解決するため、給湯機との間で通信を行い必要な操作及び表示を行う表示装置であって、前記表示装置は、前記給湯機が有する貯湯タンクの残湯量を受信する残湯量受信手段と、前記残湯量受信手段が受信した残湯量を表示する残湯量表示手段と、少なくとも１つ以上の残湯量基準値が入力可能な残湯量基準値入力手段と、前記残湯量受信手段が受信した残湯量情報と前記残湯量基準値入力手段から入力された残湯量基準値とを比較する残湯量比較手段と、前記残湯量比較手段が比較した結果前記残湯量情報が前記残湯量基準値よりも小さい場合、前記残湯量表示手段が表示する残湯量の表示方法を変更する表示方法変更手段とで構成することで、当該課題を解決し、電気代の節約の意識や、電力量削減に伴う省エネの意識を利用者に植え付けることを促進することができると共に、貯湯タンクにお湯がなくなった事態をいち早く利用者に知らせることができ利用者の利便性の向上を実現することができる。
【発明の効果】
【００２３】
本発明は、利用者が手軽に設定した残湯量基準値を実際の残湯量が超えたか否かにより、残湯量の表示方法を例えば色分けする等の工夫で電気代の節約の意識や、電力量削減に伴う省エネの意識を利用者に植え付けることを促進することができると共に、節約や省エネの促進をより一層加速化することができる。また、貯湯タンクにお湯がなくなった、もしくは残り少なくなったことを利用者へいち早く知らせることができるようになり、利用者に緊急にお湯を沸かす操作等の必要な操作を促すことができ、システムの利便性の向上をより一層図ることができる。
【００２４】
また、残湯量の表示を給湯機の機種により変更させることで、給湯機の機種によって異なる残湯量表示を切り替えることができるようになり、表示装置自体を安価で多様性に富んだ形で作ることができると共に、お客様の嗜好の変化による給湯機自体の機種のグレード変更やその他事由による機種の変更にも柔軟に対応することができ、システムの普及拡大を加速させることができる。
【発明を実施するための最良の形態】
【００２５】
第１の発明は、給湯機との間で通信を行い必要な操作及び表示を行う表示装置であって
、前記表示装置は、前記給湯機が有する貯湯タンクの残湯量を受信する残湯量受信手段と、前記残湯量受信手段が受信した残湯量を表示する残湯量表示手段と、少なくとも１つ以上の残湯量基準値が入力可能な残湯量基準値入力手段と、前記残湯量受信手段が受信した残湯量情報と前記残湯量基準値入力手段から入力された残湯量基準値とを比較する残湯量比較手段と、前記残湯量比較手段が比較した結果前記残湯量情報が前記残湯量基準値よりも小さい場合、前記残湯量表示手段が表示する残湯量の表示方法を変更する表示方法変更手段を有するものである。
【００２６】
そして、利用者がお湯の使い過ぎを手軽に意識できるようになり、電気代の節約の意識や、電力量削減に伴う省エネの意識を利用者に植え付けることを促進することができ、また、貯湯タンクのお湯がなくなった、もしくは残り少なくなった旨を利用者にいち早く知らせることで、利用者に緊急にお湯を沸かす操作等の必要な操作を最適なタイミングで促すことができ、システムの利便性向上を実現することが可能となる。
【００２７】
第２の発明は、給湯機との間で通信を行い必要な操作及び表示を行う表示装置であって、前記表示装置は、前記給湯機が有する貯湯タンクの残湯量を受信する残湯量受信手段と、前記残湯量受信手段が受信した残湯量を表示する残湯量表示手段と、予め定められた期間中の残湯量情報を記憶学習する記憶学習手段と、前記記憶学習手段が記憶学習した結果から当該利用家庭における少なくとも１つ以上の残湯量基準値を算出する残湯量基準値算出手段と、前記受信手段が受信した残湯量情報と前記残湯量基準値算出手段が算出した残湯量基準値とを比較する残湯量比較手段と、前記残湯量比較手段が比較した結果、前記残湯量情報が前記残湯量基準値よりも小さい場合、前記残湯量表示手段が表示する残湯量情報の表示方法を変更する表示方法変更手段とで構成されるものである。
【００２８】
そして、利用者の手間や余計な設定を省略しながら、電気代の節約の意識や、電力量削減に伴う省エネの意識、利用者に植え付けることを促進することができると共に、お湯が足りないことの最適な報知を実現することが可能となる。また、利用者の使い方にあったシステムを構築することができる。さらに、利用者の使い勝手に応じたベストなシステムを自由に構築でき、本システムの普及拡大を加速化することが可能である。
【００２９】
第３の発明は、給湯機との間で通信を行い必要な操作及び表示を行うと共に、サーバとの間で通信を行い必要な情報を送受信する表示装置であって、前記表示装置は、前記給湯機が有する貯湯タンクの残湯量を受信する残湯量受信手段と、前記残湯量受信手段が受信した残湯量を表示する残湯量表示手段と、前記サーバから少なくとも１つ以上の残湯量基準値を受信する残湯量基準値受信手段と、前記残湯量受信手段が受信した残湯量情報と前記残湯量基準値受信手段が受信した残湯量基準値を比較する残湯量比較手段と、前記残湯量比較手段が比較した結果前記残湯量情報が前記残湯量基準値よりも小さい場合、前記残湯量表示手段が表示する残湯量情報の表示方法を変更する表示方法変更手段とで構成されるものである。
【００３０】
そして、たとえば各家庭の電気代が使用湯量をベースとして算出される仕組みの場合、その電気代が変化する境目やもう少しで基準残湯量を下回る残湯量に基準残湯量を置くことで、利用者に電気代節約の意識を高めることができると共に、各家庭に対して遠隔で一斉に基準残湯量の変更をかけることができるため、システム運営上の利便性が高まると共に、システムのランニングコストを抑制することもできる。また利用者毎に多種多様化するニーズに対し個別に遠隔で容易に対応することができ、本システムの普及拡大を実現することができる。
【００３１】
第４の発明は、前記残湯量表示手段は、前記残湯量情報を予め定められた一定時間毎に切り替えて表示させる構成としたものである。
【００３２】
そして、このようなアニメーションによる表示によって利用者がお湯の使い過ぎに対して興味をそそることが容易に実現でき、電気代の節約の意識や、電力量削減に伴う省エネの意識を利用者に植え付けることを促進することができる。
【００３３】
第５の発明は、前記表示方法変更手段は、前記残湯量表示手段が表示している残湯量情報の前記一定時間を変更させるまたは／及び前記一定時間毎に表示させる内容を変更させる構成としたものである。
【００３４】
そして、たとえばアニメーションによる表示を変更させることで利用者がお湯の使い過ぎに対して興味をそそることが容易に実現でき、電気代の節約の意識や、電力量削減に伴う省エネの意識を利用者に植え付けることを促進することができる。
【００３５】
第６の発明は、前記表示装置は、少なくとも１つ以上の残湯量基準値を持つ残湯量基準値記憶手段を有し、前記残湯量基準値入力手段は前記残湯量基準値記憶手段が記憶している残湯量基準値の中から少なくとも１つ以上の残湯量基準値を選択させる構成としたものである。
【００３６】
そして、利用者は基準残湯量を自分で考えて入力しなくともよくなり、より気軽に省エネ意識の向上を推進することができるようになり、本システムの普及拡大を加速することができる。
【００３７】
第７の発明は、給湯機との間で通信を行い必要な操作及び表示を行う表示装置であって、前記表示装置は、前記給湯機の機種情報を受信する機種情報受信手段と、前記機種情報受信手段で受信した機種情報を記憶する機種情報記憶手段と、前記給湯機が有する貯湯タンクの残湯量を受信する残湯量受信手段と、前記残湯量受信手段が受信した残湯量を表示する残湯量表示手段と、前記機種情報記憶手段に記憶されている機種情報に応じて前記残湯量基準値を変更する残湯量基準値変更手段と、前記残湯量受信手段が受信した残湯量情報と前記残湯量基準値変更手段により変更された少なくとも１つ以上の残湯量基準値とを比較する残湯量比較手段と、前記残湯量比較手段が比較した結果に応じて前記残湯量表示手段が表示する残湯量の表示方法を変更する表示方法変更手段とで構成されるものである。
【００３８】
そして、給湯機の複数機種に対応した残湯量表示を実現することが可能となり、表示装置自体を安価で多様性に富んだ形で作ることができると共に、お客様の嗜好の変化による給湯機自体の機種のグレード変更やその他事由による機種の変更にも柔軟に対応することができ、システムの普及拡大を加速させることができる。
【００３９】
第８の発明は、前記機種情報は、給湯機、サーバ、表示装置の入力手段、設定器のうち少なくとも１つから受信もしくは入力可能な構成としたものである。
【００４０】
そして、例えば、サーバから給湯機の機種情報を表示装置にダウンロードする方式の場合には、給湯機において表示装置に対する機種情報の送信ロジックを組み込む必要もなくなり、給湯機のロジックを簡素化することによる安価な提供を実現することができる。
【００４１】
そして、表示装置が取得する機種情報を様々な仕組みで取得することができるようになるので、例えば、古いタイプの給湯機で機種情報を持っていないものに対して表示装置を接続した場合においても、表示装置に対する機種情報の入力がサーバの設定変更や表示装置の入力部から変更で可能となり、給湯機が機種情報を有するか否かに関わらず、残湯量の基準値変更が実現できるので、すでに給湯機が設置されている家庭に対して本システム
を導入する場合においても、給湯機の仕様に左右されないシステム構築が実現でき、システムの普及拡大を加速化させることができる。
【００４２】
また、機種情報が組み込まれている給湯機においては、表示装置は当該機種情報を給湯機から取得することができるので、表示装置に対して機種情報の入力を行うロジックを搭載しなくとも機種情報が取得でき、システム全体を新規に導入する場合において、表示装置の制御を簡素化することができる。
【００４３】
第９の発明は、上記の表示装置の少なくとも一部をコンピュータに実行させるためのプログラムである。そして、プログラムであるので、電気・情報機器、コンピュータ、サーバ等のハードリソースを協働させて本発明の表示装置の少なくとも一部を容易に実現することができる。また記録媒体に記録したり通信回線を用いてプログラムを配信したりすることでプログラムの配布・更新やそのインストール作業が簡単にできる。
【００４４】
以下、本発明の実施の形態について図面を用いて説明する。なお、この実施の形態によって本発明が限定されるものではない。
【００４５】
（実施の形態１）
図１は本発明の実施の形態のシステム全体のブロック図である。図１において、１は表示装置、２はヒートポンプ給湯機、３はサーバ、４は携帯電話である。５は浴室給湯、６はシャワー、７は給湯ａ、８は給湯ｎである。９は浴槽で、１０は浴室リモコン、１１は増設リモコンである。１２は給湯関連動作部、１３は温水器関連動作部、１４は風呂関連動作部、１５は貯湯タンクである。１６は台所その他、１７は浴室である。１８は給湯関連機能、１９は風呂関連機能、２０は温水器関連機能である。
【００４６】
ここで、表示装置１、給湯ａ７、給湯ｎ８は台所その他１６に設置されている。浴室給湯５、シャワー６、浴槽９、浴室リモコン１０、増設リモコン１１は浴室１７に設置されている。また、給湯関連動作部１２、温水器関連動作部１３、風呂関連動作部１４はヒートポンプ給湯機２の内部にある。
【００４７】
一方、浴室給湯５、シャワー６、給湯ａ７、給湯ｎ８、給湯関連動作部１２を給湯関連機能１８と呼ぶ。浴槽９、浴室リモコン１０、増設リモコン１１、風呂関連動作部１４を風呂関連機能１９と呼ぶ。温水器関連動作部１３、貯湯タンク１５を温水器関連機能２０と呼ぶ。
【００４８】
図１において、ヒートポンプ給湯機２は家庭の給湯、風呂機能を実現させる。すなわち、家庭にて使用する給湯関連機能１８や風呂関連機能１９を制御し、例えば台所その他１６に設置されている給湯ａ７や給湯ｎ８から温かいお湯を供給し、利用者が食器や手を洗う際の快適性を実現する。また、利用者が風呂に入る際には浴室１７にある浴槽９からお湯張りをしたり、シャワー６や浴室給湯５からお湯を出したりして利用者の生活を確保する。
【００４９】
ここで、利用者はこれらの制御、すなわち、お湯の温度やお湯の量を制御するために表示装置１や浴室リモコン１０を利用する。
【００５０】
ここで、表示装置１は図１に示すように台所その他１６に取り付けられており、ヒートポンプ給湯機２の制御及び現在状態の表示を行う機能を有している。表示装置１は別名「台所リモコン」と呼ばれる。同様の役割を果たすものが浴室リモコン１０であり、入浴中の利用者がヒートポンプ給湯機２の制御及び状態表示を行う。また、場合によっては、シャワー６のすぐそばに増設リモコン１１が取り付けられており、利用者は入浴中にシャワ
ー６を浴びながらヒートポンプ給湯機２の制御を行ったり状態を確認したりすることができる。
【００５１】
また、ヒートポンプ給湯機２は貯湯タンク１５を有しており、この貯湯タンク１５に貯まっている水を電気を利用して沸かし、給湯関連機能１８や風呂関連機能１９に供給している。この貯湯タンク１５内の沸き上げには、主に料金が安い深夜電力を利用することで、利用者は電気代を必要最小限に抑えることができる。利用者は、表示装置１や浴室リモコン１０、増設リモコン１１を利用して、この貯湯タンク１５内のお湯の量を制御したり確認したりすることができる。
【００５２】
一方、表示装置１は、外部、すなわちサーバ３と接続されている。これにより、ヒートポンプ給湯機２の情報を表示装置１を経由してサーバ３へ伝送することができ、例えば、ヒートポンプ給湯機２にて発生した故障をサーバ３へ伝達することで、サービスマンがいち早く当該家庭に赴き修理その他の必要な措置を施すことが可能となる。
【００５３】
また、サーバ３は携帯電話４からもアクセス可能であり、例えば、外出先から浴槽９のお湯張りを行いたい場合、利用者はその旨を携帯電話４から入力すれば、サーバ３、及び表示装置１を介してヒートポンプ給湯機２に対してその旨の指示が伝えられ、ヒートポンプ給湯機２は、内部の風呂関連動作部を１４及び温水器関連動作部１３を利用して貯湯タンク１５にて沸かしたお湯を浴槽９に供給して浴槽９の遠隔お湯張りが可能となる。
【００５４】
ここで、表示装置１がサーバ３と通信を行う場合においては、回線を利用する。ここでいう回線とは、アナログ電話回線、ＩＳＤＮ回線、ＡＤＳＬ回線、ＦＴＴＨ回線、ケーブルテレビ回線等である。この回線は、当該家庭が導入している上記各種回線種別を利用することとする。なお、上記回線に応じて、通信装置２は上記回線との接続のためにモデム、Ｔ−ＮＣＵ（Terminal  Network  Control  Unit）、ＴＡ、ダイヤルアップルーター、ＯＮＵ（Optical  Network  Unit）等のモデムを介するもしくは内蔵している。
【００５５】
一方、表示装置１と外部のサーバ３、携帯電話、パソコン、医療機関、サービスセンター等間は、直接回線交換方式にて接続されている場合もあれば、ＩＳＰ（Internet  Service  Provider）やＡＳＰ（Application  Service  Provider）経由でインターネット網を使い接続されている場合もある。
【００５６】
さらに、表示装置１と外部のサーバ３、携帯電話、パソコン、医療機関、サービスセンター等間の通信プロトコルは、本システムにて予め決められた無手順独自プロトコルの場合もあれば、ＴＣＰ／ＩＰ、ＨＴＴＰ、ＨＴＴＰＳ等のインターネットプロトコルを利用する場合もある。
【００５７】
次に、表示装置１とヒートポンプ給湯機２、浴室リモコン１０、増設リモコン１１間の通信について説明する。ここで、表示装置１とヒートポンプ給湯機２、浴室リモコン１０、増設リモコン１１間は、有線にて接続されている方法が一般的であるが、例えば４００ＭＨｚ帯の特定小電力無線を用いて行うことも可能である。この場合、ヒートポンプ給湯機２や浴室リモコン１０、増設リモコン１１からの情報は特定小電力無線を用いて表示装置１へ伝送する。また、表示装置１からヒートポンプ給湯機２、浴室リモコン１０、増設リモコン１１に対する指令も特定小電力無線を用いる。
【００５８】
なお、表示装置１とヒートポンプ給湯機２、浴室リモコン１０、増設リモコン１１間の通信に関しては、有線接続や特定小電力無線接続に限らず、電灯線、赤外線、無線ＬＡＮ、bluetooth（登録商標）と言ったような通信媒体を利用してもよい。
【００５９】
以上のようなシステム構成において、表示装置１に表示する内容には様々なものがある。例えば、給湯関連機能１８から利用者に供給される「給湯温度」の表示や、風呂関連機能９により浴槽９で保温されている「風呂湯量」の表示、さらには温水器関連機能２０にてお湯が貯められている貯湯タンク１５内の「タンク内残湯量」の表示等である。
【００６０】
利用者は、これらの情報を得ることで、蛇口から出るお湯が熱すぎる場合「給湯温度」を下げたり、風呂のお湯が足りない場合には「風呂湯量」を多くしたり、給湯や風呂にたくさんお湯を使った為貯湯タンク１５内のお湯が足りない場合には「タンク内残湯量」を多くしたりといった操作を、表示装置１や浴室リモコン１０、増設リモコン１１を利用して行う。
【００６１】
ここで、表示装置１に表示する内容として、「残湯量」がある。これは、貯湯タンク１５の中にあるお湯の量を表すもので、前述のようにヒートポンプ給湯機２はこの貯湯タンク１５の「残湯量」を利用して、利用者が給湯ａ７や給湯ｎ８からお湯を出して、食器洗いその他に利用したり、入浴中に浴室給湯５やシャワー６を利用したりする。つまり、この「残湯量」が充分残っていないと、利用者は必要な時にお湯を利用することができなくなる。ここで、貯湯タンク１５の「残湯量」が少なくなると、ヒートポンプ給湯機２は自動的に貯湯タンク１５に対してお湯を沸かすように制御するが、前述のように深夜電力を利用してお湯を沸かした方が電気代が安く済む為、「残湯量」が少なくなったからといってすぐに貯湯タンク１５に対してお湯を沸かすように制御するとは限らない。
【００６２】
ここで、表示装置１における残湯量の表示方法について、図２の表示装置のブロック図を用いて説明する。図２において、２１は残湯量受信手段、２２は残湯量表示手段、２３は残湯量基準値入力手段、２４は残湯量比較手段、２５は表示方法変更手段である。残湯量受信手段２１、残湯量表示手段２２、残湯量基準値入力手段２３、残湯量比較手段２４、表示方法変更手段２５は表示装置１の内部にある。
【００６３】
図２において、残湯量はヒートポンプ給湯機２から送られてくる。ここで、ヒートポンプ給湯機２から送られてくる残湯量の情報は、絶対値ではなく、ヒートポンプ給湯機２が有する貯湯タンク１５のサイズその他から算出した相対値であり、例えば、貯湯タンク１５の残湯量を５段階レベルに分けて、現在どのレベルなのかを表示装置１に対して送信する。送信された残湯量レベルは残湯量受信手段２１にて受信し、残湯量表示手段２２を用いて表示される。
【００６４】
例えば、残湯量レベルが５段階（０〜４）である場合において、ヒートポンプ給湯機２から送られてきた貯湯タンク１５の残湯量レベルが「２」であった場合、残湯量表示手段２２は「レベル２」と表示する。ここで、ヒートポンプ給湯機２から送られてくる残湯量は必ずしも相対値でなくてもよい。これは、表示装置１とヒートポンプ給湯機２間において予め取り決められた値として規定されていれば、その既定された値をヒートポンプ給湯機２は表示装置１に対して送信してくる。表示装置１はその既定された値を利用者が理解できる値、例えばリットルやレベルに変換して給湯量表示手段２２が表示する。
【００６５】
ここで、前述のような５段階のレベル（相対値）にて残湯量が送られてくる場合、表示装置１は、例えば図３のように表示を行う。図３において、３０は貯湯タンク１５のイメージ図である。そして、貯湯タンクのイメージ図３０において、５段階のレベルが分かるように表示されており、実際の残湯量レベルを黒で表している。つまり、残湯量レベルが「２」であった場合は、図３のように下から２段階レベルが黒で表されることになる。
【００６６】
一方、利用者は表示装置１に対して予め基準残湯量を入力しておく。この基準残湯量とは、利用者がこの基準よりも貯湯タンク１５の残湯量が減った場合にその旨を報知しても
らうことで、省エネ意識を高めると共に、利用者にお湯が少なくなってきていることを早く気づかせ、緊急のお湯増し（貯湯タンク１５に対して強制的にお湯を沸かさせるように制御すること）等の措置が施せるようにするものである。ここで、例えば利用者が基準残湯量レベルを「１」に設定する場合、残湯量基準値入力手段２３からその旨を入力する。なお、入力可能な基準残湯量は必ずしも１つでなくてもよい。例えば、利用者は、「１と「２」の２つの基準残湯量を入力することも可能である。
【００６７】
次に、表示装置１は残湯量受信手段２１で受信した残湯量と、利用者が残湯量基準値入力手段２３から入力された基準残湯量とを残湯量比較手段２４を用いて比較する。残湯量比較手段２４は、その結果を表示方法変更手段２５へ出力する。表示方法変更手段２５は、残湯量比較手段２４が残湯量受信手段２１で受信した残湯量と、利用者が残湯量基準値入力手段２３から入力された基準残湯量を比較した結果、残湯量受信手段２１が受信した残湯量の方が残湯量基準値入力手段２３から入力された基準残湯量未満の場合（もしくは以下の場合）、残湯量表示手段２２が表示している残湯量受信手段２１で受信した残湯量の表示方法を変更する。
【００６８】
ここで、図４のフローチャートを用いながら、具体例を挙げて説明する。残湯量基準値入力手段２３から入力された基準残湯量が「１（基準残湯量１）」と「３（基準残湯量２）」であった場合を考える。また、残湯量表示手段２２が残湯量を表示する方法として、例えば、残湯量を「青色で表示」「黄色で表示」「赤色で表示」の３段階が可能として、表示方法変更手段２５は、残湯量表示手段２２が有する３段階の表示方法の変更を行う。
【００６９】
ここで、残湯量受信手段２１で受信した残湯量が「５」であった場合（ＳＴＥＰ１）、残湯量基準値入力手段２３から入力された基準残湯量２の「３」よりも大きい（ＳＴＥＰ２）為、表示方法変更手段２５は残湯量表示手段２２の表示を「青色で表示」（ＳＴＥＰ４）に変更する。具体的には、図３において、５段階全てを青色で表示する。
【００７０】
もし、残湯量受信手段２１で受信した残湯量が「２」であった場合（ＳＴＥＰ１）には、残湯量基準値入力手段２３から入力された基準残湯量２の「３」よりも小さい（ＳＴＥＰ２）が、基準残湯量１の「１」よりも大きい（ＳＴＥＰ３）為、残湯量表示手段２２の表示を「黄色で表示」（ＳＴＥＰ６）に変更する。具体的には、図３において、２段階全てを黄色で表示する。
【００７１】
また、残湯量受信手段２１で受信した残湯量が「０」であった場合（ＳＴＥＰ１）には、残湯量基準値入力手段２３から入力された基準残湯量２の「３」よりも小さい（ＳＴＥＰ２）し、残湯量基準値入力手段２３から入力された基準残湯量１の「１」よりも小さい（ＳＴＥＰ３）為、残湯量表示手段２２の表示を「赤色で表示」（ＳＴＥＰ５）にそれぞれ変更する。具体的には、図３において、貯湯タンク１５のイメージ図全体を赤色で表示する。
【００７２】
すなわち、利用者は表示装置１が表示する残湯量の表示色を見て、貯湯タンク１５の残湯量がどれだけなのかを把握することができる。
【００７３】
そして、残湯量基準値入力手段２３から入力した基準残湯量を目安として、「いつもは赤色での表示がないのに、今日は赤色で表示されたので、何かたくさんお湯を使ったのかな」とか「残湯量がないので、夜、お父さんがお風呂に入れないな。すぐにお湯を沸かさなきゃ」とか認識することができる。
【００７４】
以上のように、貯湯タンク１５の残湯量は、図３のようなレベルで確認することが可能であるが、さらに表示色を変えたりすることで、利用者に状況を気づかせやすくすること
ができ、利用者に対して状況に応じた緊急対応（強制的なお湯増し等）を実施させやすくなり、利用者を不便に陥らせることなく、快適なシステムの提供を実現することが可能となる。また、お湯の使い過ぎによる電気代やエネルギーの無駄を利用者に気づかせやすくすることで、電力量削減に伴う省エネの意識を利用者に植え付けることを促進することができる。
【００７５】
また、例えば貯湯タンク１５の残湯量が基準残湯量を超えない場合と超えた場合で表示するアニメーションを変更させたりアニメーションの切り替わりタイミングを早くさせたりすることで、「いつもと違うアニメーションが出ているな」と利用者が気づきやすくなると共に、状況に応じた緊急対応（強制的なお湯増し等）の促進や省エネの意識を利用者に植え付けることが可能となる。
【００７６】
なお、利用者の生活形態の変化（例：家族人数の増減）が発生し、残湯量表示手段２２が表示する残湯量の表示色が実際の生活形態とはかけはなれたものになった場合には、利用者は残湯量基準値入力手段２３から入力する基準残湯量を変更すればよい。これは、基準値の変更のみならず、基準値の数の変更も可能である。また、当該表示色の変更が煩わしい利用者は、表示方法変更手段２５の機能を無効にするように表示装置１に対して設定することで、当該機能を無効にできる。
【００７７】
ところで、以上の説明においては、表示方法変更手段２５が変更するのは残湯量表示手段２２の表示内容であったが、別に表示内容でなくても、ポップアップ的な画面の報知、音による報知等別の変更内容でもよい。
【００７８】
また、例えば、表示方法変更手段２５は、残湯量比較手段２４が残湯量受信手段２１で受信した残湯量と、利用者が残湯量基準値入力手段２３から入力された基準残湯量を比較した結果、残湯量受信手段２１が受信した残湯量の方が残湯量基準値入力手段２３から入力された基準残湯量よりも小さい場合、残湯量表示手段２２が表示している残湯量受信手段２１で受信した残湯量の表示を拡大させたりして、利用者に注意を促すようにすることも考えられる。こうすることで、お年寄りや目の不自由な人にもはっきりと認識させることができ、ユニバーサルインターフェイスに即した人にやさしいシステムを構築することができる。
【００７９】
さらには、図４では残湯量表示を「青色で表示」「黄色で表示」「赤色で表示」の３種類で表しているが、例えば、「黄色で表示」や「赤色で表示」の場合には当該表示を点滅させたり、またその点滅の周期を変えたり、アニメーション的に表示を変更させたりすることも可能である。こうすることで、利用者に気づかせやすくすることができ、利用者の注意をひきつけ、緊急対応や省エネを推進することが可能となる。
【００８０】
また、以上の説明においては、表示装置１における動作について述べてきたが、他の表示装置、例えば浴室リモコン１０、増設リモコン１１において同様の機能を実現することも可能である。
【００８１】
また、以上の説明においては、残湯量についてのみ言及してきたが、例えば、「風呂湯量」「風呂保温時間」等、他の表示パラメータについても同様の変更を実現することも可能である。
【００８２】
（実施の形態２）
本発明の実施の形態２の表示装置１のブロック図を図５に示す。図５において、２６は残湯量基準値記憶手段である。残湯量基準値記憶手段２６は表示装置１の内部にある。
【００８３】
図５を用いて、本発明の実施の形態２を説明する。なお、実施の形態１と同様の説明の部分は省略する。
【００８４】
図５において、利用者は表示装置１に対して予め基準残湯量を入力しておく訳だが、表示装置１には残湯量基準値記憶手段２７が備わっている。この残湯量基準値記憶手段２７には、予め１つ以上の残湯量基準値が記憶されている。そして、利用者が残湯量基準値入力手段２３から基準残湯量を入力しようとした場合、その入力インターフェイス（例えば「画面」）には、残湯量基準値記憶手段２７に予め記憶されている１つ以上の残湯量基準値が表示され、利用者はこの表示された残湯量基準値か自らが選択したい残湯量基準値を選択することで入力が完了する。
【００８５】
例えば、残湯量基準値記憶手段２７に記憶されている残湯量基準値が「１」と「２」と「３」であった場合、残湯量準値入力手段２３には「１」と「２」と「３」の３つの基準残湯量が表示されている。ここで、利用者はこの３つの基準残湯量から、例えば１つの基準残湯量を選択する（例：残湯量基準値「３」）。
【００８６】
そして、残湯量受信手段２１で受信した残湯量が「２」であった場合、残湯量比較手段２４は残湯量受信手段２１で受信した残湯量（「２」）と利用者が残湯量基準値入力手段２３で選択した基準残湯量（「３」）を比較し、表示方法変更手段２５は、残湯量受信手段２１で受信した残湯量（「２」）の方が小さい為、残湯量表示手段２２が表示する残湯量の表示色の変更や表示拡大を行ったりして利用者に注意を促す。
【００８７】
以上のような方法を取ることで、利用者は基準残湯量を自分で考えて入力しなくとも、残湯量基準値入力手段２３が示す基準残湯量から選択するのみで基準残湯量の設定が可能となる。
【００８８】
一方、残湯量基準値記憶手段２７に予め記憶されている残湯量基準値は、本表示装置１が出荷された時点で記憶されていてもよい。この場合は、標準的な一般家庭の残湯量を調査した結果や、貯湯タンク１５のサイズから、この値を超えたら要注意だろうと想定される基準残湯量が記憶されていることとなる。
【００８９】
また、本システムが運転を開始して一定時間（または一定日数）経過する間に表示装置１は本システムが利用される家庭に適切な残湯量を記憶し、その結果から基準残湯量を算出する方法も考えられる。この場合の表示装置１のブロック図を図６に示す。図６において、２７は記憶学習手段、２８は残湯量基準値算出手段である。記憶学習手段２７、残湯量基準値算出手段２８は表示装置１の内部にある。
【００９０】
図６において、ヒートポンプ給湯機２から送られてきた残湯量の情報は残湯量受信手段２１で受信される。そして、給湯量受信手段２１が受信した残湯量の情報は残湯量比較手段２４に送られると共に記憶学習手段２７へも送られる。ここで、記憶学習手段２７は残湯量受信手段２１が出力した残湯量を過去にさかのぼって記憶学習する。
【００９１】
例えば、当該家庭の１ヶ月間の残湯量を記憶学習手段２７は記憶すると共に、その内容から当該家庭の残湯量パターンを学習する。仮に、当該家庭の１ヶ月間（３０日間）の深夜就寝前の残湯量が、殆んどの日は「２」以上であり、２日程度「１」もしくは「０」の日があったとする。その場合、記憶学習手段２７は、「２日程度は、来客その他の理由で、残湯量が増えたのだろう」と推測し、その旨を残湯量基準値算出手段２８へ出力する。残湯量基準値算出手段２８は記憶学習手段２７からの出力を受けて、当該家庭の標準的な１日の残湯量は「２」であると認識し、その「２」を残湯量基準値に設定する。
【００９２】
そして、残湯量比較手段２４は残湯量基準値算出手段２８が算出した残湯量基準値と残湯量受信手段２１が受信した残湯量を比較し、その結果を表示方法変更手段２５へ出力する。表示方法変更手段２５は、残湯量比較手段２４が残湯量受信手段２１で受信した残湯量と、残湯量基準値算出手段２８が算出した残湯量基準値を比較した結果、残湯量受信手段２１が受信した残湯量の方が小さい場合、残湯量表示手段２２が表示している残湯量受信手段２１で受信した残湯量の表示方法を変更する。
【００９３】
以上のような構成とした場合、表示装置１には残湯量基準値入力手段２３を設ける必要がない。これは、利用者が残湯量基準値をいちいち入力しなくても表示装置１が勝手にお湯を使いすぎていないか警告を発してくれることを意味する。すなわち、利用者の手間や余計な設定を省略しながら、緊急お湯まし対応や電気代の節約の意識、電力量削減に伴う省エネの意識を利用者に植え付けることを促進することができる。これにより、本システムの普及拡大を加速化することができる。
【００９４】
なお、以上の説明では、記憶学習手段２７と残湯量基準値算出手段２８が連携して残湯量基準値を算出することで説明をしたが、前述のように、残湯量基準値算出手段２８が算出した残湯量基準値を残湯量基準値入力手段２３が画面等を利用して表示させ、利用者はこの表示された残湯量基準値か自らが選択したい残湯量基準値を選択することで残湯量基準値の入力が完了する構成としてもよい。この場合、残湯量基準値算出手段２８が算出した残湯量基準値が複数あれば、利用者は多彩な選択肢の中から最適な残湯量基準値を選択でき、利用者の嗜好にあったシステムを構築することができる。
【００９５】
また、以上の説明では、表示装置１が残湯量基準値を記憶、学習、算出する構成で説明したが、ヒートポンプ給湯機２が記憶、学習、算出の機能を持ち、ヒートポンプ給湯機２が算出した残湯量基準値を表示装置１に対して送信する仕組みとしてもよい。この場合、表示装置１の残湯量受信手段２１がヒートポンプ給湯機２から送られてくる残湯量基準値を受信し、その結果をもとに表示方法変更手段２５が残湯量表示手段２２の残湯量の表示方法を変更することとなる。さらには、残湯量の記憶、学習、算出の各機能を表示装置１とヒートポンプ給湯機２で分担した（例えば、記憶、学習の機能はヒートポンプ給湯機２が有し、算出の機能は表示装置１が有する）といった構成とすることもできる。
【００９６】
ところで、以上の説明においては、記憶学習手段２７は、例えば１ヶ月間記憶学習するように説明したが、この期間は利用者が自由に変更できる構成としてもよいし、表示装置１が利用開始後のある期間だけ記憶学習し残湯量基準値を決めるような構成とすることもできる。また、日々記憶学習を繰り返し、残湯量基準値算出手段２８が算出した残湯量基準値が変更になった場合、その旨を利用者に報知したりすることもできる。
【００９７】
さらに、利用者がある特定期間だけ当該機能（表示方法変更手段２５が残湯量表示手段２２が表示する残湯量を色分け等で変更する機能）を無効にできるように構成することもでき、利用者の使い勝手に応じたベストなシステムを自由に構築でき、本システムの普及拡大を加速化することが可能である。
【００９８】
（実施の形態３）
本発明の実施の形態３の表示装置１のブロック図を図７に示す。図７において、２９は残湯量基準値受信手段である。残湯量基準値受信手段２９は表示装置１の内部にある。
【００９９】
図７を用いて、本発明の実施の形態３を説明する。なお、実施の形態１、２と同様の説明の部分は省略する。
【０１００】
図７において、サーバ３は表示装置１に対して残湯量基準値を送信する。表示装置１は
内部の残湯量基準値受信手段２９にてこの残湯量基準値を受信し、その結果を残湯量比較手段２４に対して出力する。残湯量比較手段２４は、残湯量基準値受信手段２９が受信した残湯量基準値と残湯量受信手段２１が受信した残湯量を比較し、その結果を表示方法変更手段２５へ出力する。
【０１０１】
表示方法変更手段２５は、残湯量比較手段２４が残湯量受信手段２１で受信した残湯量と、残湯量基準値受信手段２９が受信した残湯量を比較した結果、残湯量受信手段２１が受信した残湯量の方が小さい場合、残湯量表示手段２２が表示している残湯量受信手段２１で受信した残湯量の表示方法を変更する。
【０１０２】
以上のような構成の場合において、サーバ３は本システムの運用部門が管理しているが、その運用部門が各家庭に設置されている表示装置１の残湯量基準値を一括して変更することが可能となる。これは、例えば、国の方針等でより一層の省エネ活動を推進すべき事態が発生した場合、本システムの運用部門はサーバ３を利用して各家庭の残湯量基準値をより小さくするように制御する。
【０１０３】
これにより、表示装置１を利用している家庭においては、残湯量基準値が下がる為、残湯量比較手段２４が比較した結果残湯量受信手段２１が受信した残湯量が残湯量基準値を下回る可能性が高まり、その結果表示方法変更手段２５が残湯量表示手段２２が表示している残湯量を変更（例えば赤色で表示）する可能性が高くなる。これは、利用者にとっては、注意を促される回数が多くなることを意味し、結果として、利用者の省エネ意識の向上を加速化することができる。
【０１０４】
さらには、図１に示すように、サーバ３の先には携帯電話４が接続されることも想定されるが、この場合、利用者は携帯電話４を利用して遠隔から自らの家庭に設置してある表示装置１の基準残湯量を変更することができるようになり、本システム利用における利便性が向上すると共に本システムの普及拡大を実現することができる。
【０１０５】
なお、前述の実施の形態２で説明した記憶学習手段２７が記憶学習する期間であるが、この期間もサーバ３から変更することが可能である。この場合、例えば、特定家庭の記憶学習機能レベルが劣っていた場合等、サーバ３から遠隔に記憶学習手段２７が記憶学習する期間を調整したり変更したりすることができ、システムの信頼性の向上を安価で容易に実現することができる。
【０１０６】
また、サーバ３からは記憶学習手段２７の記憶学習期間のみならず、残湯量基準値入力手段２３が利用者に示す基準残湯量選択肢の最大数や、残湯量基準値記憶手段２６が記憶可能な残湯量基準値の数等もサーバ３から遠隔で変更することもでき、利用者毎に多種多様化する表示装置１に対し個別に遠隔で容易に対応することができ、本システムの普及拡大を実現することができる。
【０１０７】
（実施の形態４）
本発明の実施の形態４の表示装置１のブロック図を図８に示す。図８において、３１は機種情報受信手段である。３２は機種情報記憶手段である。３３は残湯量基準値変更手段である。
【０１０８】
図８の本発明の実施の形態４における表示装置のブロック図、図９の本発明の実施の形態４における表示装置の画面、図１０の構成図本発明の実施の形態４における表示装置の残湯量表示イメージ図を用いて、本発明の実施の形態４を説明する。
【０１０９】
ヒートポンプ給湯機２には、様々な機種があり、その機種によって有する機能が異なる
。例えば、「タイプＡ」はおふろにお湯を張った後の保温機能が存在するが「タイプＢ」には存在しないとか、「タイプＡ」は長期不在時に貯湯タンクの沸き上げを休止させる設定ができるが「タイプＢ」ではできないとかである。
【０１１０】
一方、表示装置１は、このような様々な機種毎にハードウエアやソフトウエアを準備するのではなく、１つのハードウエアに複数の機種に対応できるソフトウエアを組み込んで、実際にどの機種が現在接続されているかを判別して動作するような構成として、コストパフォーマンスを発揮することが考えられる。
【０１１１】
以上のような場合における表示装置１の動作について、以降説明する。ヒートポンプ給湯機２は、表示装置１と接続された場合、表示装置１に対して、機種を特定する情報（機種情報）を送信してくる。この機種を特定する情報は、例えば、特定の電文の特定のビット列パターンで区別する場合もあれば、「商品コード」と呼ばれる機種を特定する為にシステム内において決められた特定コードとして送られてくる場合もある。このようにしてヒートポンプ給湯機２から送られてきた機種を特定する情報は、表示装置１内の機種情報受信手段３１によって受信される。そして、受信された機種を特定する情報は、機種情報記憶手段３２に記憶される。
【０１１２】
なお、機種情報記憶手段３２に記憶された機種を特定する情報は、表示装置１に電源断が発生した場合においても、消えることがないように不揮発として記憶される。
【０１１３】
次に、ヒートポンプ給湯機２から表示装置１に対して残湯量が送信されてきた場合の動きについて説明する。ここで、ヒートポンプ給湯機２から送られてくる残湯量の情報は、絶対値ではなく、ヒートポンプ給湯機２が有する貯湯タンク１５のサイズその他から算出した相対値であり、例えば、貯湯タンク１５の残湯量を５段階レベルに分けて、現在どのレベルなのかを表示装置１に対して送信する。送信された残湯量レベルは残湯量受信手段２１にて受信し、残湯量表示手段２２を用いて表示される。
【０１１４】
例えば、残湯量レベルが５段階（０（なし）と１〜４）である場合において、ヒートポンプ給湯機２から送られてきた貯湯タンク１５の残湯量レベルが「２」であった場合、残湯量表示手段２２は「レベル２」と表示する。
【０１１５】
ここで、ヒートポンプ給湯機２から送られてくる残湯量は必ずしも相対値でなくてもよい。これは、表示装置１とヒートポンプ給湯機２間において予め取り決められた値として規定されていれば、その既定された値をヒートポンプ給湯機２は表示装置１に対して送信してくる。表示装置１はその既定された値を利用者が理解できる値、例えばリットルやレベルに変換して給湯量表示手段２２が表示する。
【０１１６】
ここで、前述のような５段階のレベル（相対値）にて残湯量が送られてくる場合、表示装置１は、例えば図３のように表示を行う。図３では、実際の残湯量レベルを黒で表している。つまり、残湯量レベルが「２」であった場合は、図３のように下から２段階レベルが黒で表されることになる。
【０１１７】
一方、表示装置１において、図３のように、実際にヒートポンプ給湯機２から送られてくる相対値（５段階）を的確に表現できる場合はよいが、表示装置１の画面レイアウト上、残湯量表示用のサイズが十分に確保できず、５段階のレベルを的確に表示できないような場合も想定される。
【０１１８】
また、図３のような画面を表示装置１の画面に大きく表示はさせるが、図９のように表示装置１の画面の、例えば上部に帯のような「状態表示領域（ステータス表示領域）４０
」を確保して、この「ステータス表示領域４０」にも残湯量レベルを表示するような構成も考えられる。
【０１１９】
これは、表示装置１は、残湯量をはじめとするヒートポンプ給湯機２の各種状態を表示するだけでなく、例えばタッチパネルを利用してヒートポンプ給湯機２に対して各種設定を行うリモコンの機能も有する場合や、サーバ３を経由して各種情報を閲覧するブラウジング機能を有する場合も考えられる。
【０１２０】
このような、多種多様な画面表示や設定をタッチパネルにて実現する為には、表示装置１の画面にはいくつも切り替わる必要性が発生し、図３のような残湯量レベルを常に表示しておくことは難しい場合も考えられる。
【０１２１】
よって、これに対応し、表示装置１の画面には前述の「ステータス表示領域４０」を確保し、表示装置１の画面が何を表示していようとも、「ステータス表示領域４０」には常に利用者に知らせるべき内容を表示しておく手法を取ることもできる。
【０１２２】
このような観点から、この「ステータス表示領域４０」にも残湯量レベルを表示することが考えられるが、この「ステータス表示領域」は、その意味合いから表示装置１の画面上に広い領域を確保できず（広く確保すると、メインである画面が見えなくなるため）、その結果として図３のような残湯量レベルの段階を正確に表示できない場合がある（正確に表示しようとすると、絵が小さくなり、視認性から問題が生じる）。
【０１２３】
よって、このように、ヒートポンプ給湯機２から送られてくる残湯量レベルを限られた領域の中で表示しようとする場合として、図１０のような形での残湯量表示４１が考えられる。図１０はヒートポンプ給湯機２の残湯量レベルを３段階で表示させるもので、例えば、ヒートポンプ給湯機２から送られてくる残湯量レベルが５段階レベル（０（なし）と１〜５）であった場合、図１０（ａ）は、例えば「レベル５」を表し、図１０（ｂ）は「レベル２〜４」を表し、図１０（ｃ）は「レベル０〜１」を表す、といったような形で５段階を３段階にて表示し、かつ、図１０のように色分けして表示することで、視認性を高めている。
【０１２４】
以上のような形で、表示装置１においてヒートポンプ給湯機２の残湯量レベルを表示する場合において、ヒートポンプ給湯機２から送られてくる残湯量レベルが相対値であった場合において、この残湯量レベルが、ヒートポンプ給湯機２の機種によって異なる場合がある。例えば、「タイプＡ」のヒートポンプ給湯機２の場合には残湯量レベルが５段階で送られてくるが、「タイプＢ」のヒートポンプ給湯機２の場合には、残湯量レベルが６段階で送られてくる。このような場合における表示装置１の動きについて、以下に説明する。
【０１２５】
次に、表示装置１は残湯量受信手段２１で受信した残湯量と、機種情報記憶手段３２に記憶されている機種情報とを残湯量比較手段２４を用いて比較する。
【０１２６】
ここで、残湯量比較手段２４が比較する方法であるが、前述のように、「タイプＡ」のヒートポンプ給湯機２の場合には残湯量レベルが５段階で送られてくるが、「タイプＢ」のヒートポンプ給湯機２の場合には、残湯量レベルが６段階であるとした場合、機種情報記憶手段３２には現在表示装置１と通信を行っているヒートポンプ給湯機２が「タイプＡ」なのか「タイプＢ」なのかが記憶されているので、残湯量基準値変更手段３３は、機種情報記憶手段３２に記憶されている「タイプＡ」「タイプＢ」のような機種情報に基づいて、残湯量基準値を変更する。そして、変更された残湯量基準値が、残湯量比較手段２４に送られる。
【０１２７】
残湯量比較手段２４は、残湯量基準値変更手段３３から送られてきた残湯量基準値をもとに、残湯量受信手段２１で受信した残湯量レベルを当てはめて比較し、その結果、複数の残湯量基準値（この例では、「タイプＡ」の場合は５段階、「タイプＢ」の場合には６段階）の、どの基準値以上で、どの基準値以下かを比較判定し、その結果を表示方法変更手段２５に対して出力する。表示方法変更手段２５は、その出力結果に基づいて、図１０のような形式で残湯量を色分けして表示する。
【０１２８】
例えば、図１０において、ヒートポンプ給湯機２から送られてくる残湯量レベルが５段階レベル（０（なし）と１〜５）であった場合、図１０（ａ）は、例えば「レベル５」を表し、図１０（ｂ）は「レベル２〜４」を表し、図１０（ｃ）は「レベル０〜１」を表すが、ヒートポンプ給湯機２から送られてくる残湯量レベルが６段階レベル（０（なし）と１〜６）であった場合、図１０（ａ）は、例えば「レベル６」を表し、図１０（ｂ）は「レベル２〜５」を表し、図１０（ｃ）は「レベル０〜１」を表すとする。
【０１２９】
ここで、残湯量受信手段２１で受信した残湯量レベルが「レベル５以上」であった場合、残湯量比較手段２４は、残湯量基準値変更手段３３からの出力をもとに、表示方法変更手段２５に対して、図１０の（ａ）（ｂ）（ｃ）の３種類の表示方法のうち、どの表示方法で表示すべきかを出力する。これによって、表示方法変更手段２５は、残湯量表示手段２２が現在表示している残湯量のパターンを図１０の（ａ）（ｂ）（ｃ）の３種類のいずれかに変更する。
【０１３０】
なお、この時の表示装置１の内部の動作フローについては、実施の形態１（図４）と同じである。但し、図４において、「基準残湯量１」や「基準残湯量２」については、実施の形態１と異なり、機種情報記憶手段３２が機種情報受信手段３１を経由してヒートポンプ給湯機２から受信した機種情報に基づいたものとなる。
【０１３１】
以上のような方式を取ることで、１つの表示装置１において、ヒートポンプ給湯機２の複数機種に対応した残湯量表示を実現することが可能となる。これにより、表示装置１自体を安価で多様性に富んだ形で作ることができると共に、お客様の嗜好の変化によるヒートポンプ給湯機２自体の機種のグレード変更やその他事由による機種の変更にも柔軟に対応することができ、システムの普及拡大を加速させることができる。
【０１３２】
また、図１０のような表示方法については、色分けにより一目で残湯量レベルの直感的判断を利用者に与えることができる為、こうすることで、お年寄りや目の不自由な人にもはっきりと認識させることができ、ユニバーサルインターフェイスに即した人にやさしいシステムを構築することができる。
【０１３３】
また、表示装置１が設置されている現場（各家庭）での対応が不要であるため、ヒートポンプ給湯機２の機種の交換を行った作業員が、表示装置１の操作方法を認識しなくとも確実な機種判別ができるようになり、システム設置時間の短縮化によるシステムの普及拡大を実現することができる。
【０１３４】
なお、本実施の形態においては、図９のように「ステータス表示領域」といった限られた大きさの中での表示方法の切り替えを例に説明したが、図３のようなヒートポンプ給湯機２から送られてくる残湯量レベル値をそのまま表示するような場合においても適用することができる。さらには、図１０では残湯量表示を（ａ）（ｂ）（ｃ）の３種類で表しているが、例えば当該表示を点滅させたり、またその点滅の周期を変えたり、アニメーション的に表示を変更させたりすることも可能である。こうすることで、利用者に気づかせやすくすることができ、利用者の注意をひきつけ、緊急対応や省エネを推進することが可能
となる。
【０１３５】
一方、本実施の形態においては、ヒートポンプ給湯機２の機種情報がヒートポンプ給湯機２自身から表示装置１に対して送られてくる旨で説明をしたが、表示装置１の機種情報記憶手段３２にヒートポンプ給湯機２の機種情報を確実に記憶させることができれば、方法はどんな方法でもよい。
【０１３６】
例えば、表示装置１が図１のようにサーバ３と通信を行う場合において、サーバ３からヒートポンプ給湯機２の機種情報を表示装置１にダウンロードする方式でもよいし、ヒートポンプ給湯機２の機種情報を表示装置１のタッチパネル等の入力手段を用いて入力する方法を取ってもよい。また、表示装置１のタッチパネル等の入力手段とは別に、機種情報、その他を設定する為の設定器（図示せず）等を用いて表示装置１に対して機種情報を入力する方法を取ってもよい。
【０１３７】
例えば、サーバ３からヒートポンプ給湯機２の機種情報を表示装置１にダウンロードする方式の場合には、ヒートポンプ給湯機２において表示装置１に対する機種情報の送信ロジックを組み込む必要もなくなり、ヒートポンプ給湯機２のロジックを簡素化することによる安価な提供が実現する。
【０１３８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【０１３９】
本発明にかかる表示装置、及びプログラムは、貯湯タンクの残湯量の目安である残湯量基準値を設定したり変更したりすることで、残湯量の表示方法を変更することができるので、「ヒートポンプ給湯機」のみならず、「燃料電池を用いた給湯機」「電気温水器」等、貯湯タンクを利用したシステムを構築する機器にも適用できる。
【図面の簡単な説明】
【０１４０】
【図１】本発明の実施の形態１、２、３におけるシステム全体のブロック図
【図２】本発明の実施の形態１における表示装置のブロック図
【図３】本発明の実施の形態１、２、３における表示装置の残湯量表示イメージ図
【図４】本発明の実施の形態１における表示装置の動作フローチャート
【図５】本発明の実施の形態２における表示装置のブロック図
【図６】本発明の実施の形態２の他の例における表示装置のブロック図
【図７】本発明の実施の形態３における表示装置のブロック図
【図８】本発明の実施の形態４における表示装置のブロック図
【図９】本発明の実施の形態４における表示装置の画面構成図
【図１０】本発明の実施の形態４における表示装置の残湯量表示イメージ図
【図１１】従来のガス機器の使い方比較システムのシステム概念図
【図１２】従来のガス機器の使い方比較システムの給湯機とセンター装置のブロック図
【符号の説明】
【０１４１】
１  表示装置
２  ヒートポンプ給湯機
３  サーバ
４  携帯電話
５  浴室給湯
６  シャワー
７  給湯ａ
８  給湯ｎ
９  浴槽
１０  浴室リモコン
１１  増設リモコン
１２  給湯関連動作部
１３  温水器関連動作部
１４  風呂関連動作部
１５  貯湯タンク
１６  台所、その他
１７  浴室
１８  給湯関連機能
１９  風呂関連機能
２０  温水器関連機能
２１  残湯量受信手段
２２  残湯量表示手段
２３  残湯量基準値入力手段
２４  残湯量比較手段
２５  表示方法変更手段
２６  残湯量基準値記憶手段
２７  記憶学習手段
２８  残湯量基準値算出手段
２９  残湯量基準値受信手段
３０  貯湯タンクのイメージ
３１  機種情報受信手段
３２  機種情報記憶手段
３３  残湯量基準値変更手段
４０  ステータス表示領域
４１  残湯量表示
【図１】
2006308270.tif 000003
【図２】
2006308270.tif 000004
【図３】
2006308270.tif 000005
【図４】
2006308270.tif 000006
【図５】
2006308270.tif 000007
【図６】
2006308270.tif 000008
【図７】
2006308270.tif 000009
【図８】
2006308270.tif 000010
【図９】
2006308270.tif 000011
【図１０】
2006308270.tif 000012
【図１１】
2006308270.tif 000013
【図１２】
2006308270.tif 000014